(57)【特許請求の範囲】
【請求項１】
開口部の一縁が延長されて、その一縁に設けられた２つのピン穴にピンを差し込んで保持されたプラスチック袋を１枚づつ開口させる袋の開口方法において、前記ピン穴を上端が上方に向けて開放されたピンに差し込んで保持し、前記２つのピン穴の間で前記延長された縁を押さえつつ袋の開口部に向けて斜め上方からエアを吹き付けて袋に開口を形成させ、その開口に前記２つのピン穴の間隔より狭い幅を有し上下方向に拡張する開口部材を前記２つのピン穴の間で挿入して前記開口を拡げることを特徴とするプラスチック袋の開口方法。
【発明の詳細な説明】
【０００１】
【発明の属する技術分野】
本発明は、袋の開口方法に関し、更に詳しくは、開口部の一縁が延長されてずらされ、その一縁に設けた２つのピン穴にピンを差し込んで保持された袋を一枚づつ開口させる開口方法に関する。
【０００２】
【従来の技術】
包装用のプラスチック袋に品物を入れて包装する装置においては、積層して保持された袋を一枚づつ開口させることが必要である。
包装用袋を積層させておいて、一枚づつ開口させてゆく操作をやり易くするため、従来、図４に示すように、開口部の一縁０２を延長してずらした袋０１を形成し、その延長された一縁０２に２つのピン穴０３を設け、図５のようにそのピン穴０３にピン０４を差し込んで積層状態に保持し、この状態の袋０１を一枚づつ開口させて品物を入れてゆく方法が採用されている。
【０００３】
図５のようにピン０４がピン穴０３に差し込まれて保持された袋を開口させて一枚づつ使用してゆく場合、袋０１をピン０４から外さないといけない。従来は、ピン穴０３にピン０４が差し込まれた状態のまま品物を袋内に入れ、その際の力などを使って袋をピン穴０３部分で引きちぎることが行われていた。
【０００４】
この場合、ピン穴０３部分で引きちぎるとはいえ、プラスチック袋などは相当の引張り強度をもつのでピン穴０３部分で引きちぎれ易くするようピン穴０３からミシン目や切れ目０５を入れたりしている。
このミシン目や切れ目０５が余分に入り過ぎると袋がすぐにちぎれて了い品物の充填操作に支障を来たすし、また、ミシン目や切れ目の入れ方が不足すると袋がちぎれず、これまた品物の充填操作に支障を来たしていた。
【０００５】
このように、開口部の一縁が延長されてずらされ、その一縁に設けられた２つのピン穴にピンを差し込んで保持された袋を一枚づつ開口させて品物を充填させてゆく操作にはかなりの困難を伴っていた。
また、袋の引きちぎりをうまく行っても、そのピン穴０３部で引きちぎられた袋にはピン穴０３部分に破損片が残っており、そのような袋では包装された商品の外観を損ね、この型式の袋包装における大きな問題点となっていた。
【０００６】
【発明が解決しようとする課題】
本発明は、開口部の一縁が延長されてずらされ、その一縁に設けられた２つのピン穴にピンを差し込んで保持された袋を１枚づつ開口させる場合に、そのピン穴部で袋を破ることなく開口させることを可能とした袋の開口方法を提供することを課題としている。
【０００７】
【課題を解決するための手段】
本発明は、前記課題を解決するため、開口部の一縁が延長されて、その一縁に設けられた２つのピン穴にピンを差し込んで保持された袋を１枚づつ開口させる袋の開口方法において、前記ピン穴に上端が上方に向けて開放されたピンを挿し込み、前記２つのピン穴の間で前記延長された縁を押さえつつ袋の開口部に向けて斜め上方からエアを吹き付けて袋に開口を形成させ、その開口に前記２つのピン穴の間隔より狭い幅を有し上下方向に拡張する開口部材を前記２つのピン穴の間で挿入して前記開口を拡げることからなる袋の開口方法を提供する。
【０００８】
本発明による袋の開口方法においては、開口部の一縁が延長されてずらされ、２つのピン穴が設けられている部分を、その２つのピン穴の間で押さえて袋の開口部に向け斜め上方からエアを吹き付けるので袋は積み重ね位置に保持されたまま部分的に開口される。
【０００９】
こうして形成された開口に、前記２つのピン穴の間隔より狭い幅を有し上下左右方向などに拡張する開口部材を前記２つのピン穴の間で挿入して開口を拡張させると、袋の延長された下側の一縁はピン穴の中間で押えられている部分を除いて上方に持ち上げられ、これによってピン穴は上端が上方に向けて開放されたピンから抜ける。
【００１０】
以上のようにして袋は引きちぎられずにピンから外れて開口を拡張され、包装すべき品物を受け入れうる状態になる。
このようにして開口された袋には、従来のもののようなピン穴部近辺に引きちぎった破片が生じておらず、外観が優れた包装品を生産できる。
【００１１】
【発明の実施の形態】
以下、本発明によるプラスチック袋の開口方法について図１〜図３に示した実施の形態に基づいて具体的に説明する。
図１〜図３において、１は包装用プラスチック袋で、開口部０以外は閉じられている。開口部０の一縁、すなわち、図では下の縁２が延長され、その延長された縁２には互いに間隔を保った２個のピン穴３が形成されている。
【００１２】
このように形成されたプラスチック袋１は読み重ねられて上方が開放された２本のピン４がそのピン穴３に挿し込まれて保持されている。積層されたプラスチック袋１は、そのピン穴３の間で延長された縁２を適宜の保持部材５で押えられる。
【００１３】
前記したように積層状態で保持されたプラスチック袋の開口部０に向けて斜め上方からエアノズル６でエア７を吹きつけると、一番上の袋の開口部０は、図３の実線８のように開口される。
こうしてエアノズル６からのエア７によって形成された開口に対して開口部材９が挿入される。開口部材９は、互いの間隔を拡縮可能な下方のバー９−１（２本）と上方のバー９−２（２本）の４本のバーを有している。
【００１４】
開口部材９は、袋の開口内に挿入されたあと、上方のバー９−２が上方に変位され、袋の開口を仮想線１０で示すように拡げる。
エア７による袋の部分的開口動作又は、開口部材９による開口の拡張動作によって、ピン４が挿入されていたピン穴３は、上端が開放されているピン４から抜け出され、このとき、縁２はピン穴３のところで破られることはない。
【００１５】
こうして袋１が開口部材９によって最大限に開口されたあと、包装すべき品物がその開口から袋内に充填される。
なお、袋１内への品物の充填前、充填動作中、又は充填後の適宜のときに保持部材５の押しつけ力を弱め、開口された一番上の袋１を積層状態から開放するようにするとよい。
また、開口部材９としては、袋１の開口内に差し込まれ、その開口を上下方向、又は上下左右方向に拡げるように構成したものを、開口すべき袋の形状や大きさなどに応じて適宜選択して用いてよい。
【００１６】
以上、本発明を図示した実施形態に基づいて具体的に説明したが、本発明がこれらの実施形態に限定されず特許請求の範囲に示す本発明の範囲内で、その具体的構造、構成に種々の変更を加えてよいことはいうまでもない。
【００１７】
例えば、上記実施形態では、開口部材９として、上方のバー９−２が真直ぐ上方に変位して袋の開口を拡げる構成のもを図示して説明したが、４本のバーがそれぞれ４５°づつ斜上方と斜下方に変位して開口を拡張するような構成の開口部材を使用してもよく、要は、この種の開口拡張部材として公知のものを適宜採用してよい。
【００１８】
【発明の効果】
以上説明したように、本発明は、開口部の一縁が延長され、その一縁に設けられた２つのピン穴にピンを差し込んで保持された袋を１枚づつ開口させる袋の開口方法において、前記ピン穴を上端が上方に向けて開放されたピンに差し込んで保持し、前記２つのピン穴の間で前記延長された縁を押さえつつ袋の開口部に向けて斜め上方からエアを吹き付けて袋に開口を形成させ、その開口に前記２つのピン穴の間隔より狭い幅を有し上下方向に拡張する開口部材を前記２つのピン穴の間で挿入して前記開口を拡げるようにした袋の開口方法を提供する。
【００１９】
この開口方法によると、袋の開口部の一縁をずらして延長された部分を２つのピン穴の間を押さえつつ開口させてゆくので、開口の過程でピン穴はピンから引き抜かれ、そのピン穴部で袋を破ることなく開口させることができる。
従って、本発明の袋開口方法によれば、開口部に引きちぎられた部分のない袋包装品を生産することが可能である。
【図面の簡単な説明】
【図１】本発明による開口方法を適用する積層されたプラスチック袋を示す平面図。
【図２】図１に示したプラスチック袋に対し本発明による開口方法を実施している状態を示す説明図。
【図３】図２のＡ矢視側面図。
【図４】図１に示した袋の断面図。
【図５】従来の袋開口方法を示す斜視図。
【符号の説明】
０        開口部
１        プラスチック袋
２        下の縁
３        ピン穴
４        ピン
５        保持部材
６        エアノズル
７        エア
９        開口部材
９−１    下方のバー
９−２    上方のバー
【図１】
0003631914.tif 000002
【図２】
0003631914.tif 000003
【図３】
0003631914.tif 000004
【図４】
0003631914.tif 000005
【図５】
0003631914.tif 000006